(57)【要約】【課題】脚を細く長く見せて美脚的印象を与えることができるジーンズを得る。【解決手段】右脚用前身頃２の脇線６と右脚用後身頃３の脇線７とを縫い合わせると共に、右脚用前身頃２の内股線８と右脚用後身頃３の内股線９とを縫い合わせて構成された右脚部２０と、左脚用前身頃４の脇線１０と左脚用後身頃５の脇線１１とを縫い合わせると共に、左脚用前身頃４の内股線１２と左脚用後身頃５の内股線１３とを縫い合わせて構成された左脚部２１とを備えたジーンズ１において、右脚用及び左脚用前身頃２，４には、ポケット部１９がそれぞれ形成されており、ポケット部１９の袋３５の素材は、伸縮性を有する素材である。【選択図】　図１
0003098285.tif 000002
【実用新案登録請求の範囲】
【請求項１】
右脚用前身頃の脇線と右脚用後身頃の脇線とを縫い合わせると共に、該右脚用前身頃の内股線と該右脚用後身頃の内股線とを縫い合わせて構成された右脚部と、
左脚用前身頃の脇線と左脚用後身頃の脇線とを縫い合わせると共に、該左脚用前身頃の内股線と該左脚用後身頃の内股線とを縫い合わせて構成された左脚部とを備えたジーンズにおいて、
前記右脚用及び左脚用前身頃には、ポケット部がそれぞれ形成されており、該ポケット部の袋の素材は、伸縮性を有する素材であることを特徴とするジーンズ。
【請求項２】
請求項１に記載のジーンズにおいて、
前記ポケット部の袋の素材は、少なくとも、前記右脚部及び左脚部の長手方向の軸線に対して直交する方向に伸縮性を有する素材であることを特徴とするジーンズ。
【考案の詳細な説明】
【０００１】
【考案の属する技術分野】
本考案は、脚を細く長く見せて美脚的印象を与えるジーンズに関するものである。
【０００２】
【従来の技術】
従来において、ストレートジーンズやブーツカットジーンズ等の様々な形状にデザインされたジーンズが知られている。着用者は、上着の色やデザイン等と釣り合いがとれるようにジーンズを着用してコーディネートすることができる（例えば、特許文献１参照。）。
【０００３】
【特許文献１】
登録実用新案第３０７１２４９号公報
【０００４】
【考案が解決しようとする課題】
しかしながら、従来においては、色や形状が異なるジーンズは開発されているものの、着用者の脚を細く長く見せて美脚的印象を与える工夫が施されたジーンズは開発されていない。自分の脚を美しく見せるということは、誰もが求める要素である。また、このようなジーンズが開発されれば、着用者は、更にコーディネートの幅を広げることができる。
【０００５】
本考案は、脚を細く長く見せて美脚的印象を与えることができるジーンズを提供することを目的とする。
【０００６】
【課題を解決するための手段】
本考案は、右脚用前身頃の脇線と右脚用後身頃の脇線とを縫い合わせると共に、該右脚用前身頃の内股線と該右脚用後身頃の内股線とを縫い合わせて構成された右脚部と、左脚用前身頃の脇線と左脚用後身頃の脇線とを縫い合わせると共に、該左脚用前身頃の内股線と該左脚用後身頃の内股線とを縫い合わせて構成された左脚部とを備えたジーンズにおいて、前記右脚用及び左脚用前身頃には、ポケット部がそれぞれ形成されており、該ポケット部の袋の素材は、伸縮性を有する素材であることを特徴とするジーンズを提供する。
【０００７】
また、前記ポケット部の袋の素材は、少なくとも、前記右脚部及び左脚部の長手方向の軸線に対して直交する方向に伸縮性を有する素材にすることもできる。
【０００８】
【考案の実施の形態】
以下、本考案にかかるジーンズの実施の形態について図面を参照しながら述べる。図１において、（ａ）には本考案にかかるジーンズ１の前面図を示し、（ｂ）にはジーンズ１の後面図を示している。
【０００９】
図１（ａ）において、ジーンズ１は、主に、右脚用前身頃２と右脚用後身頃３と、左脚用前身頃４と左脚用後身頃５とを有しており、右脚用前身頃２の脇線６と右脚用後身頃３の脇線７とを縫い合わせると共に右脚用前身頃２の内股線８と右脚用後身頃３の内股線９とを縫い合わせて構成された右脚部２０と、左脚用前身頃４の脇線１０と左脚用後身頃５の脇線１１とを縫い合わせると共に左脚用前身頃４の内股線１２と左脚用後身頃５の内股線１３とを縫い合わせて構成された左脚部２１とで構成されている。
【００１０】
図１（ａ）に示すように、ジーンズ１は、前身頃２，４の内股線８，１２と後身頃３，５の内股線９，１３とを縫い合わせることにより、右脚部２０及び左脚部２１に大股線（シーム）１４がそれぞれ形成されており、該大股線１４はジーンズ１の前面から見える位置に設けられている。また、この大股線１４に沿ってステッチ１５（図示において点線で示す）が形成されている。大股線１４は、ジーンズ１の前面から見て逆Ｕ字状に形成されており、大股線１４に沿って形成されたステッチ１５も、逆Ｕ字状に形成されている。
【００１１】
また、右脚部２０の脇線６，７と、左脚部２１の脇線１０，１１は、大股線１４と同様に、ジーンズ１の前面から見える位置に設けられている。従って、図１（ｂ）に示すように、ジーンズ１の後面（背面）からは、脇線６，７，１０，１１は、見えない。
【００１２】
図１（ａ）に示すように、ジーンズ１の前身頃２，４には、その上部に前ポケット部１９がそれぞれ形成されている。図２には、この前ポケット部１９の袋３５を示している。この袋３５の素材は、伸縮性を有するストレッチ素材で成形されている。袋３５の素材は、少なくとも、右脚部２０及び左脚部２１の長手方向の軸線に対して直交する方向（図２において符号３６で示す方向）に伸縮性を有する素材にすることができる。
【００１３】
図１（ａ）において、符号１７で示す実線は、ジーンズ１の脚部の膝線を示しており、この膝線１７は、従来のジーンズの膝線位置よりも高い位置に設けられている。また、図１（ｂ）に示すように、ジーンズ１の後身頃３，５の上部には、後ろポケット部３０が設けられており、この後ろポケット部３０は、従来のジーンズの後ろポケット部の位置に比べて高い位置に設けられている。
【００１４】
また、本発明にかかるジーンズ１は、ファスナー２５を有しており、該ファスナー１５の上下寸法が、従来における一般的なジーンズのファスナーの上下寸法に比べて短くなっている。また、図１（ａ）において、ジーンズ１の前身頃２，４の符号２６で示す斜線部分には、ブラスト加工がそれぞれ施されている。このブラスト加工は、従来のジーンズに比べて細く短く施されている。
【００１５】
以上のように、本考案にかかるジーンズ１は、前ポケット部１９の袋３５を伸縮性を有するストレッチ素材で成形しているため、腹部、特に下腹部をガードルして腹部から腰部にかけての体型を整えて、ジーンズ１の着用者の腹部及び尻部周りをすっきりと見せることができ、第３者に対して美脚的印象を与えることができる。
【００１６】
また、大股線（シーム）１４は、ジーンズ１の前面から見える位置に設けられると共に、ジーンズ１の前面から見て逆Ｕ字状に形成されているため、第３者の目線をシーム１４に集中させ、ジーンズ１の着用者の脚を細く長く見せ、もって、第３者に対して美脚的印象を与えることができる。また、脇線６，７，１０，１１もジーンズ１の前面から見える位置に設けられているため、さらに、ジーンズ１の着用者の脚を細く長く見せ、もって、第３者に対して美脚的印象を与えることができる。
【００１７】
また、大股線１４に沿ってステッチ１５を形成することにより、第３者の目線をシーム１４及びステッチ１５に更に集中させることができ、ジーンズ１の着用者の脚を細く長く見せ、第３者に対してより効果的に美脚的印象を与えることができる。
【００１８】
また、ファスナー１５の上下寸法が、従来における一般的なジーンズのファスナーの上下寸法に比べて短くなっている第３者に対してより効果的に美脚的印象を与えることができる。
【００１９】
また、後ろポケット部３０を、従来のジーンズの後ろポケット部の位置に比べて高い位置に設けているため、尻部よりも下方の寸法が長く見え、ジーンズ１の着用者の脚を細く長く見せることができ、もって、第３者に対して美脚的印象を与えることができる。
【００２０】
また、膝線１７が、従来のジーンズの膝線位置よりも高い位置に設けられているため、膝部よりも下方の寸法が長く見え、ジーンズ１の着用者の脚を細く長く見せることができ、もって、第３者に対して美脚的印象を与えることができる。
【００２１】
さらに、ブラスト加工が、従来のジーンズに比べて細く短く施されているため、これによっても、ジーンズ１の着用者の脚を細く長く見せることができ、もって、第３者に対して美脚的印象を与えることができる。
【００２２】
本考案にかかるジーンズ１は、ストレートジーンズやブーツカットジーンズ等の様々な形状にデザインされたジーンズに適応することが可能である。
【００２３】
【考案の効果】
本考案によれば、右脚用及び左脚用前身頃にそれぞれ形成されたポケット部の袋の素材を伸縮性を有する素材にしているため、下腹部をガードルすることができ、腹部から腰部にかけての体型を整えて、ジーンズ１の着用者の腹部及び尻部周りをすっきりと見せることができ、第３者に対して美脚的印象を与えることができる。
【図面の簡単な説明】
【図１】図１（ａ）は、本考案にかかるジーンズの実施の形態を示す前面図であり、（ｂ）は、ジーンズの後面図である。
【図２】図２（ａ）は、上記実施の形態におけるジーンズの前ポケット部の袋を示す正面図である。
【符号の説明】
１　　ジーンズ
２　　右脚用前身頃
３　　右脚用後身頃
４　　左脚用前身頃
５　　左脚用後身頃
６　　脇線
７　　脇線
８　　内股線
９　　内股線
１０　　脇線
１１　　脇線
１２　　内股線
１３　　内股線
１４　　大股線（シーム）
１５　　ステッチ
１７　　膝線
１９　　前ポケット部
２０　　右脚部
２１　　左脚部
２５　　ファスナー
３０　　後ろポケット部
３５　　袋
【図１】
0003098285.tif 000003
【図２】
0003098285.tif 000004